(57)【要約】【課題】  システムの待機状態で発生するＯＦＤＭフレームの空き領域を利用して基準搬送波周波数信号の連続送信を実現し、途中から追加された端末のクロック同期の時間を短縮することを可能としたＯＦＤＭ信号伝送システム及び集合住宅インターホンシステムを提供する。【解決手段】  制御装置３と複数の居室親機２との間ではＯＦＤＭ通信を実施して、映像、音声、更に制御信号を含むデータが制御装置３から複数の居室親機２に送信され、制御装置ＣＰＵ３ａは音声信号及び映像信号を送信しない待機時に限って、ＯＦＤＭフレームＳ２の映像領域も基準搬送波周波数信号Ｓ１の送信領域とする。【選択図】  図２
2017175285.tif 000002
【特許請求の範囲】
【請求項１】
ＯＦＤＭ信号によって映像、音声、更に制御信号を含むデータが１つの通信機器から複数の端末に送信される一方、前記複数の端末からは音声及び制御信号を含むデータが前記通信機器へ送信されるＯＦＤＭ信号伝送システムであって、
前記通信機器は、音声信号及び映像信号を送信しない待機状態に限って、ＯＦＤＭフレームの映像の領域及び音声の領域のうち少なくとも映像の領域も基準搬送波周波数信号を送信する領域とする基準搬送波信号制御部を有することを特徴とするＯＦＤＭ信号伝送システム。
【請求項２】
来訪者が訪問先の居住者を呼び出すための集合玄関機と、各住戸に設置された居室親機と、前記集合玄関機と前記居室親機との間の通信を制御する制御装置とを有する集合住宅インターホンシステムであって、
前記集合玄関機は来訪者を撮像するためのカメラを具備すると共に、前記居室親機は前記カメラの撮像映像を表示するモニタを具備し、
前記制御装置から複数の前記居室親機へ送信される前記カメラの撮像映像、来訪者の音声、更に制御信号を含むデータはＯＦＤＭ信号によって送信される一方、前記居室親機から前記制御装置へは居住者の音声及び制御信号を含むデータが送信され、
前記制御装置は、音声信号及び映像信号を送信しない待機時に限って、ＯＦＤＭフレームの映像の領域及び音声の領域のうち少なくとも映像の領域も基準搬送波周波数信号を送信する領域とする基準搬送波信号制御部を有することを特徴とする集合住宅インターホンシステム。
【発明の詳細な説明】
【技術分野】
【０００１】
本発明は、複数の端末間でのＯＦＤＭ通信を可能とするＯＦＤＭ信号伝送システム、及びＯＦＤＭ信号により端末間の通信を実施する集合住宅インターホンシステムに関する。
【背景技術】
【０００２】
ＯＦＤＭ信号で通信する場合、従来は起動時に基準搬送波周波数信号を連続送信して端末間でクロック同期し、その後は基準搬送波周波数信号を間欠送信することで同期が維持された（例えば、特許文献１参照）。
【０００３】
具体的に、ＯＦＤＭ信号による通信を実施する集合住宅インターホンシステムでは、システム起動時に制御装置が親機幹線に連続送信する基準搬送波周波数信号を送信し、この信号を受信して各居室親機がクロック同期を取ることで制御装置からのＯＦＤＭ通信を正常に復調できるようになる。
そして、制御装置は全ての居室親機がクロック同期を取るに十分な時間だけ基準搬送波周波数信号を送信した後、通常のＯＦＤＭシンボルを含めたフレームを送信し、各居室親機が制御装置との通信によってフレームのタイミング合わせや、使用するチャンネルの取得などが行われる。また、音声信号や映像信号を送信中も居室親機のクロック同期が外れないように、制御装置からはＯＦＤＭ信号の間に基準搬送波周波数信号を間欠送信して、居室親機は間欠動作でクロック同期が維持される。
【０００４】
図３は従来方式でのＯＦＤＭ伝送信号の説明図を示し、Ｓ１１は基準搬送波周波数信号、Ｓ１２はＯＦＤＭ信号であるＯＦＤＭフレームを示している。図３に示すように最初に基準搬送波周波数信号の連続送信があり、次にＯＦＤＭフレームが続き、ＯＦＤＭ信号の間に間欠的に基準搬送波周波数信号が挿入されている。以降はＯＦＤＭ信号と間欠の基準搬送波周波数信号が繰り返し続く。尚、図３において、Ｐ，Ｈ，Ｃ，Ａはそれぞれプリアンブル、ヘッダー、制御データ、音声を示し、ＩＭ／ＩＰは映像／ＷＥＢ情報を示しているがこの組み合わせは一例である。
【先行技術文献】
【特許文献】
【０００５】
【特許文献１】特開２０１０−１１８９６５号公報
【発明の概要】
【発明が解決しようとする課題】
【０００６】
しかしながら、クロック同期を取る上記方式は、１対１で同期を確立する携帯電話の様なシステムでは問題ないが、集合住宅インターホンシステムのような複数の端末が同じ通信路上で同期を取るシステムでは問題があった。例えば、集合住宅インターホンシステムの場合、空き室が発生すると居室親機の電源はオフされシステムから外される。そして、その後入居したら起動してシステムに再接続されることになる。
ＯＦＤＭ通信を実施するシステムでは、一旦稼動が始まると動作が継続されるのが基本であり再度起動し直す事は少ないが、システム全体がＯＦＤＭ信号を送信している状態に移行した後に、新たに端末がシステムに接続される可能性はこの集合住宅インターホンシステムに示すように常にある。
【０００７】
このような場合に、新たに接続された端末のクロック同期のために、システム起動時に行った「基準搬送波周波数信号の連続送信」を実施してしまうと、既にシステムに接続されていた全端末の通信が出来なくなってしまうため、これを実施する事はできない。また、全ての端末がクロック同期からやり直すことも、その間は通信が途切れる事になる為、稼働中のシステムで実施する事は困難である。
【０００８】
従って、途中から居室親機等の端末が追加された場合、ＯＦＤＭ通信の合間に間欠送信される基準搬送波周波数信号によってクロック同期を取らなければならないことになるが、間欠送信の割合を多くすると、即ち基準搬送波周波数信号の連続送信時間を長くするとクロック同期は短時間に実施できるがＯＦＤＭ通信の伝送速度が遅くなってしまう。逆に、間欠送信の割合を低くすると、即ち基準搬送波周波数信号の連続送信時間を短くするとＯＦＤＭの伝送速度は速くなるがクロック同期に時間がかかり、追加した端末がすぐに使えないという事になってしまう。しかしながら、クロック同期は短時間で実施されるのが望ましい。
【０００９】
そこで、本発明はこのような問題点に鑑み、システムの待機状態で発生するＯＦＤＭフレームの空き領域を利用して基準搬送波周波数信号の連続送信を実現し、途中から追加された端末のクロック同期の時間を短縮することを可能としたＯＦＤＭ信号伝送システム及び集合住宅インターホンシステムを提供することを目的としている。
【課題を解決するための手段】
【００１０】
上記課題を解決する為に、請求項１の発明は、ＯＦＤＭ信号によって映像、音声、更に制御信号を含むデータが１つの通信機器から複数の端末に送信される一方、複数の端末からは音声及び制御信号を含むデータが通信機器へ送信されるＯＦＤＭ信号伝送システムであって、通信機器は、音声信号及び映像信号を送信しない待機状態に限って、ＯＦＤＭフレームの映像の領域及び音声の領域のうち少なくとも映像の領域も基準搬送波周波数信号を送信する領域とする基準搬送波信号制御部を有することを特徴とする。
この構成により、使われていない映像と音声の領域のうち少なくとも映像の領域を基準搬送波周波数信号を送信する領域とするため、間欠送信する割合を増やすことができ、通信対象の端末が複数ある場合に途中から端末が追加されても短期間でクロック同期させることが可能となる。
また、基準搬送波周波数信号の送信頻度が上がる事で、クロック同期調整の精度が上がり、通信の途中でのクロックの周波数や位相ずれが発生する可能性を低くできる。
【００１１】
請求項２の発明は、請求項１に記載の構成において、来訪者が訪問先の居住者を呼び出すための集合玄関機と、各住戸に設置された居室親機と、集合玄関機と居室親機との間の通信を制御する制御装置とを有する集合住宅インターホンシステムであって、集合玄関機は来訪者を撮像するためのカメラを具備すると共に、居室親機はカメラの撮像映像を表示するモニタを具備し、制御装置と複数の居室親機との間ではＯＦＤＭ通信を実施して、カメラの撮像映像、来訪者の音声、更に制御信号を含むデータが制御装置から複数の居室親機に送信される一方、居室親機から制御装置へは居住者の音声及び制御信号を含むデータが送信され、制御装置は、音声信号及び映像信号を送信しない待機時に限って、ＯＦＤＭフレームの映像の領域及び音声の領域のうち少なくとも映像の領域も基準搬送波周波数信号を送信する領域とする基準搬送波信号制御部を有することを特徴とする。
この構成により、使われていない映像と音声の領域のうち少なくとも映像の領域を基準搬送波周波数信号を送信する領域とするため、間欠送信する割合を増やすことができ、通信対象の居室親機が複数あっても途中から追加される居室親機を短期間でクロック同期させることが可能となる。
また、基準搬送波周波数信号の送信頻度が上がる事で、クロック同期調整の精度が上がり、通信の途中でのクロックの周波数や位相ずれが発生する可能性を低くできる。
【発明の効果】
【００１２】
本発明によれば、使われていない映像と音声の領域のうち少なくとも映像の領域を基準搬送波周波数信号を送信する領域とするため、間欠送信する割合を増やすことができ、通信対象の端末が複数ある場合に途中から端末が追加されても短期間でクロック同期させることが可能となる。
また、基準搬送波周波数信号の送信頻度が上がる事で、クロック同期調整の精度が上がり、通信の途中でのクロックの周波数や位相ずれが発生する可能性を低くできる。
【図面の簡単な説明】
【００１３】
【図１】本発明に係る集合住宅インターホンシステムの一例を示す構成図である。
【図２】本発明のＯＦＤＭの伝送信号説明図である。
【図３】従来のＯＦＤＭの伝送信号説明図である。
【発明を実施するための形態】
【００１４】
以下、本発明を具体化した実施の形態を、図面を参照して詳細に説明する。図１は本発明に係る集合住宅インターホンシステムの一例を示す構成図であり、１は住戸を選択して居住者を呼び出す機能に加えて来訪者を撮像する為のカメラ１ａを備えた集合玄関機、２は集合玄関機１からの呼び出しに応答する機能に加えてカメラ１ａの撮像映像を表示するモニタ２ａを備えた居室親機、３は集合玄関機１と居室親機２との間の通信を制御する制御装置ＣＰＵ３ａを備えた制御装置である。
そして、制御装置３はＯＦＤＭ信号を送信すると共に居室親機２から送信された信号を受信する通信部３ｂを有し、居室親機２は制御装置３から送信されたＯＦＤＭ信号を受信すると共に制御装置３に信号を送信する通信部２ｂを有している。尚、集合玄関機１と制御装置３は伝送線Ｌ１を介して接続され、制御装置３と居室親機２とは親機幹線Ｌ２を介して接続されている。
【００１５】
図２は制御装置３が個々の居室親機２に対して送信しているＯＦＤＭ信号の説明図であり、Ｓ１は基準搬送波周波数信号、Ｓ２はＯＦＤＭ信号（ＯＦＤＭフレーム）である。最初に基準搬送波周波数信号Ｓ１の連続送信があり、次にＯＦＤＭフレームＳ２が続く。
その際、制御装置ＣＰＵ３ａの制御により、待機状態であって映像信号の領域（図３に示すＩＭ／ＩＰの領域）が使われていなければ、図２に示すように映像信号の領域に基準搬送波周波数信号Ｓ１が挿入され、次のＯＦＤＭフレームＳ２の先頭まで続く。
尚、上述したようにＰ，Ｈ，Ｃ，Ａはそれぞれプリアンブル、ヘッダー、制御データ、音声を示している。
【００１６】
以降はこれを繰り返すが、集合玄関機１が呼出操作されて映像の伝送が開始される際には、基準搬送波周波数信号Ｓ１を映像信号の領域に挿入するのを止め上記図３に示す従来と同じ信号状態に切り替える。
そして映像の送信が停止すると、映像信号の領域への挿入を再開させて図２の状態に戻る。
【００１７】
集合住宅インターホンシステムでは、プリアンブルＰやヘッダーＨ、制御データＣ等はシステムを稼動する為に常時必要な通信部分である為、これを中断する事は困難であるが、データサイズの大きい映像は、訪問者があって集合玄関機から呼び出されて映像を確認するような時にだけ送信される為、１日のうちに使用される割り合いはかなり低い。そのため、映像の通信エリアは使われていない事が多いため、大半の時間をこのように基準搬送波周波数信号の送信に使用することができる。
【００１８】
但し、映像信号の領域に基準搬送波周波数信号が挿入されている状態では、既に通信を確立している端末が通常のようにＯＦＤＭ復調をしてしまうと、ＯＦＤＭのシンボル同期が外れてしまうことになる為、居室親機２側ではシンボル同期やＯＦＤＭ復調等の動作をせずに、シンボル同期を維持したまま受け流す制御が実施される。
このとき、映像と基準搬送波周波数信号との切り替えの通知は、制御装置３から各居室親機２に通知され、各居室親機２が動作を切り替える。
【００１９】
このように、ＯＦＤＭフレームＳ２の中の使われていない映像と音声の領域のうち、少なくとも映像の領域を基準搬送波周波数信号Ｓ１を送信する領域とするため、間欠送信する割合を増やすことができ、通信対象の居室親機２が複数あっても途中から追加される居室親機２を短期間でクロック同期させることが可能となる。
また、基準搬送波周波数信号Ｓ１の送信頻度が上がる事で、クロック同期調整の精度が上がり、通信の途中でのクロックの周波数や位相ずれが発生する可能性を低くできる。
【産業上の利用可能性】
【００２０】
上記実施形態は、ＯＦＤＭ通信を実施する集合住宅インターホンシステムに関して説明したが、上記ＯＦＤＭ通信システムはＯＦＤＭ通信を実施する映像監視システム等の映像を複数の端末に伝送し、なお且つ映像や音声の伝送など待機状態で空きが多くあるシステムに好適である。
【符号の説明】
【００２１】
１・・集合玄関機、１ａ・・カメラ、２・・居室親機（端末）、２ａ・・モニタ、３・・制御装置（通信機器）、３ａ・・制御装置ＣＰＵ（基準搬送波信号制御部）。
【図１】
2017175285.tif 000003
【図２】
2017175285.tif 000004
【図３】
2017175285.tif 000005